(57)【要約】      （修正有）【課題】通気性が好ましく放熱を容易にし、人体の汗を自然に排出させることができるフレキシブル通気性載置装置を提供する。【解決手段】フレキシブル通気性載置装置は、発泡体層２０を含む。発泡体層２０の上下には他のフレキシブル層が積層される。発泡体層２０は、所定の形状、幅及び厚さを有するとともに、所定の深さで形成された複数本のスロット２１を頂面に有する。スロット２１は、下方孔から上方孔にかけて徐々に拡大するとともに、所定傾斜角を有する横向スロット２１１と、所定角を有する縦向スロット２１２とが交差されてなる。発泡体層２０が押圧される際、単一独立ブロックが隣接した独立ブロック２１３と連動しないため、スロット２１の上方及び下方の孔が封止されずに通気チャネルが形成され、放熱を容易にし、汗を自然に排出させることができる。【選択図】図７
0003189528.tif 000002
【実用新案登録請求の範囲】
【請求項１】
発泡体層を含み、前記発泡体層の上下には他のフレキシブル層が積層され、
前記発泡体層は、所定の形状、幅及び厚さを有するとともに、所定の深さで形成された複数本のスロットを頂面に有し、
前記スロットは、下方孔から上方孔にかけて徐々に拡大するとともに、所定傾斜角を有する横向スロットと、所定角を有する縦向スロットとが交差されてなり、前記横向スロットと前記縦向スロットとの交差により複数の独立ブロックが形成され、前記独立ブロックの周辺には、縦向スロット又は横向スロットが形成され、
前記発泡体層が押圧される際、前記スロットの上方及び下方の孔が封止されずに通気チャネルが形成され、単一独立ブロックが隣接した独立ブロックと連動しないことを特徴とするフレキシブル通気性載置装置。
【請求項２】
前記スロットは略Ｖ字状溝であることを特徴とする請求項１に記載のフレキシブル通気性載置装置。
【請求項３】
前記互いに隣接した横向スロットは、所定間隔でずれて不連続に形成されていることを特徴とする請求項１に記載のフレキシブル通気性載置装置。
【請求項４】
前記横向スロットは、略弧度傾斜角を呈する溝であることを特徴とする請求項１に記載のフレキシブル通気性載置装置。
【請求項５】
前記発泡体層は、袋により覆われ、
前記袋の所定箇所には、ノズルが設けられ、
前記ノズルには、エアチューブが外付けされ、
前記エアチューブには、前記発泡体層の前記スロット内にオゾンを導入するイオン殺菌消臭装置が接続されていることを特徴とする請求項１に記載のフレキシブル通気性載置装置。
【請求項６】
前記スロットは、発泡体と一体成形されていることを特徴とする請求項１に記載のフレキシブル通気性載置装置。
【考案の詳細な説明】
【技術分野】
【０００１】
本考案は、フレキシブル通気性載置装置に関する。
【背景技術】
【０００２】
従来のベッド、枕、ソファー、シートクッション、背中クッションなどは、座ったり横たわったりする際に使用され、ユーザは長時間座ったり横たわったりしても、皮膚、毛細血管、神経を圧迫しないため血液の循環がスムーズとなり、睡眠の質を高めて快適に使用することができる。現在、よく使用される物としては多層式発泡体があり、これは柔軟性を高めて使用者の体を効果的に支えることができる上、適時原状に回復し、長期間使用しても変形する虞がない。そのため、多くの人に広く使用されて人気がある。
【０００３】
内層は、発泡体のベッド、枕、ソファ、シートクッション、背中クッションなどであり、快適かつ耐久性を有するため、体を効果的に支えることができるが、伝統的な自然材質（例えば、ココナッツ製マットレス、畳製マットレス、茣蓙、竹ラグなど）よりも通気性において劣っている上、夏季に使用する発泡体材料のベッド、枕、ソファ、シートクッション、背中クッションなどは、放熱が困難であるため熱が籠りやすい上、汗をかきやすく不快となる虞がある。発泡体層にはダニが発生し易く、長期間使用するとぜんそく、皮膚アレルギーなどの問題を発生させることができる上、発泡体層は連動性を有し、単点の押圧は、周辺の層面を連動させてマットレスとして使用されるため、独立筒のような機能が無かった。そのため、発泡体層の通気性が好ましくなく、放熱が困難で熱が籠り易いため、ダニが容易に発生する上、周辺の層面が連動し易いという欠点があった。
【０００４】
また、発泡体層の表面には、多数のバンプ又は多数の土手が製作され、ユーザが座ったり横たわったりするときに、接触面で気体が流通するが、発泡体層が押圧されると、表面に形成された多数のバンプ又は多数の土手が人体に完全に接触され、所望の通風通気を得ることができず、通風通気が理想的とは言えなかった。
【０００５】
図１〜５に示すように、既に市販されている製品であるマットレス１０は、複数層のクッションを含む。複数層のクッションのうちの１層は、発泡体層１１（一般に上層）である。発泡体層１１下には底層１２が形成され、発泡体層１１が縦横に切断され、発泡体層１１に所定深さのスロット１３が形成されている。スロット１３は、空気を迅速に流通させる特性を有し、実際に使用する際（押圧される際）、通気性を得ることができる。通気性を有するため放熱し易く、汗を排出する効果を高める。発泡体層１１は、縦横に交差するように切断されて複数の単一個体１４が形成されている。また、周辺の層面が連動することが無い独立筒のような機能を有するが、市販されている製品にはこのような機能が無く、主に成形後の発泡体層１１を縦横交錯に切断し、コンピュータの３Ｄ立体切断後の加工方式により発泡体の廃棄物が発生するため、加工工程が増えてしまう欠点があった（第１の欠点）。
【０００６】
第２に欠点としては、スロット１３が縦横に交錯され、各孔が一致し、人体が発泡体層１１に押し当てられると、発泡体層１１が力を受けて押圧され、人体近くにある接触面のスロット１３も押圧され、接触面のスロット１３が押圧されることにより当該箇所のスロット１３の孔（例えば、上層の接触面の孔）が封止状態となり（図６参照）、スロット１３の封止状態がより顕著となる。もし孔が封止された状態である場合、放熱が容易でなく通気性が好ましくなく、汗が放出され難いという欠点が依然としてあった。
【０００７】
第３の欠点としては、発泡体層１１にダニ、埃、細菌などが発生し、改善することができなかったり、湿気が発生し、通風が不良で、カビが発生することがある。
【０００８】
第４の欠点としては、発泡体層１１が切断されて複数の単一個体１４に形成されるが、押圧されると、上層の接触面に形成されたスロット１３の封止がより顕著となり、単一個体１４が押圧されて互いに隣接した単一個体１４が連動される可能性が依然として高く、独立単一個体１４を形成することができず、独立筒としての機能が低かった。
【０００９】
第５の欠点としては、発泡体層１１と底層１２との結合に接着方式を利用するため、非常に不便で加工に時間及び労力が多くかかる。
【考案の概要】
【考案が解決しようとする課題】
【００１０】
従来市販されている内層は、発泡体からなるベッド、枕、ソファ、シートクッション、背中クッションなどであり、快適性及び耐久性を有するが、通気性が好ましくなく、熱気がこもって放熱し難く、人体の汗によりダニが大量に発生し易く、発泡体層が有する連動性により、単点で押圧されると周辺の層面が連動し、発泡体層の表面には多数のバンプ又は多数の土手が製作されているが、発泡体層が押圧されると、表面に多数のバンプ又は多数の土手が形成されていても人体に完全に接触されるため、所望の通風通気を得ることができない。また、通風通気効果が好ましくないため、縦横交錯の深さを有するスロットの発泡体層１１を改良し、３Ｄ立体切断をした後に加工する場合、発泡体の廃棄物が発生する問題があった。スロット１３が押圧されると、スロット１３の孔が封止状態となって放熱し難くなり、汗が排出され難く、独立筒の機能が弱く、底層１２を貼着しなければならなかったため、欠点が依然として存在する。
【００１１】
本考案の第１の目的は、発泡体層が押圧される際、スロットの上方及び下方の孔が封止されずに通気チャネルが形成され、通気性が好ましく放熱を容易にし、人体の汗を自然に排出させることができるフレキシブル通気性載置装置を提供することにある。
本考案の第２の目的は、横向スロットと縦向スロットとの交差により複数の独立ブロックが形成され、独立ブロックの周辺には、縦向スロット又は横向スロットが形成され、単一独立ブロックが隣接した独立ブロックと連動せずに独立筒のような機能を有するフレキシブル通気性載置装置を提供することにある。
本考案の第３の目的は、スロットへオゾンを導入することにより、発泡体層の各スロット内へ空気を流通させてオゾン滅菌消臭効果を得て、ダニが容易に発生したり埃が積もったりすることができる上、細菌が容易に発生することを防ぎ、通風が良好なため、湿気が少なくて乾燥しているため衛生的なフレキシブル通気性載置装置を提供することにある。
【課題を解決するための手段】
【００１２】
上記課題を解決するために、本考案の第１の形態によれば、発泡体層を含み、前記発泡体層の上下には他のフレキシブル層が積層され、前記発泡体層は、所定の形状、幅及び厚さを有するとともに、所定の深さで形成された複数本のスロットを頂面に有し、前記スロットは、下方孔から上方孔にかけて徐々に拡大するとともに、所定傾斜角を有する横向スロットと、所定角を有する縦向スロットとが交差されてなり、前記横向スロットと前記縦向スロットとの交差により複数の独立ブロックが形成され、前記独立ブロックの周辺には、縦向スロット又は横向スロットが形成され、前記発泡体層が押圧される際、前記スロットの上方及び下方の孔が封止されずに通気チャネルが形成され、人体が接触される面にスロットが形成されているため、放熱性を高めて放熱を容易にし、汗を自然に排出させることができる上、単一独立ブロックが隣接した独立ブロックと連動しないことを特徴とするフレキシブル通気性載置装置が提供される。
【００１３】
前記スロットは略Ｖ字状溝であることが好ましい。
【００１４】
前記互いに隣接した横向スロットは、所定間隔でずれて不連続に形成されていることが好ましい。
【００１５】
前記横向スロットは、略弧度傾斜角を呈する溝であることが好ましい。
【００１６】
前記発泡体層は、袋により覆われ、前記袋の所定箇所には、ノズルが設けられ、前記ノズルには、エアチューブが外付けされ、前記エアチューブには、前記発泡体層の前記スロット内にオゾンを導入するイオン殺菌消臭装置が接続されていることが好ましい。
【００１７】
前記スロットは、発泡体が成形されるときに一体成形されることが好ましい。
【００１８】
前記スロットは、発泡体が成形されて未だ硬化されていない状態のときにカッターにより切断し、前記発泡体が成形されて硬化されると、収縮して成形されることが好ましい。
【図面の簡単な説明】
【００１９】
【図１】図１は、従来の発泡体層を示す斜視図である。
【図２】図２は、従来の発泡体層を示す平面図である。
【図３】図３は、従来の発泡体層を示す側面図である。
【図４】図４は、従来の発泡体層を示す部分拡大図である。
【図５】図５は、従来の発泡体層を押圧されたときの状態を示す部分拡大図である。
【図６】図６は、従来の発泡体層が押圧されたときの状態を示す部分拡大図である。
【図７】図７は、本考案の第１実施形態に係るフレキシブル通気性載置装置を示す斜視図である。
【図８】図８は、本考案の第１実施形態に係るフレキシブル通気性載置装置を示す平面図である。
【図９】図９は、本考案の第１実施形態に係るフレキシブル通気性載置装置を示す平面図である。
【図１０】図１０は、本考案の第１実施形態に係るフレキシブル通気性載置装置を示す部分拡大図である。
【図１１】図１１は、本考案の第１実施形態に係るフレキシブル通気性載置装置を示す側面図である。
【図１２】図１２は、本考案の第２実施形態に係るフレキシブル通気性載置装置を示す斜視図である。
【考案を実施するための形態】
【００２０】
以下、本考案の実施形態について図に基づいて説明する。なお、これによって本考案が限定されるものではない。
【００２１】
（第１実施形態）
図７〜図１０を参照する。図７〜図１０に示すように、本考案の第１実施形態に係るフレキシブル通気性載置装置は、発泡体層２０を含む。この発泡体層２０は、ポリウレタン発泡体からなる。発泡体層２０の下方又は上方には、その他のフレキシブル層３０（例えば、多層の発泡体層２０、布面層など）が積層される。発泡体層２０は、所定の形状、幅及び厚さを有し、ベッド、枕、ソファ、シートクッション、背中クッションなどを製作することができる。発泡体層２０は、頂面には所定の深さで形成された複数本のスロット２１を有する。スロット２１は下方孔から上方孔にかけて徐々に拡大し（図９参照）、スロット２１を略Ｖ字状溝に形成したり、略台形状に形成したり、略円形状溝に形成したりしてもよい上、スロット２１は、所定傾斜角を有する横向スロット２１１と、所定角の縦向スロット２１２とが交差されてなる。縦向スロット２１２は、縦向きの溝である。互いに隣接した横向スロット２１１は、所定間隔でずれて不連続に形成されている。横向スロット２１１は、略弧度傾斜角を呈する溝であり、各横向スロット２１１と縦向スロット２１２とが交差して複数の独立ブロック２１３が形成される。独立ブロック２１３の周辺には、縦向スロット２１２又は横向スロット２１１が形成されている。
【００２２】
本考案の第１実施形態のスロット２１の成形節アーキテクチャは、以下（１）及び（２）の２種類を含む。
（１）スロット２１は、発泡体成形する際に一体成形され、スロット２１が金型上で直接成形され、発泡体が離型されるとスロット２１（通気通風孔）が形成される。
（２）スロット２１は、発泡体からなり、成形されて未だ硬化していない状態のときにカッターで切断され、発泡体が成形硬化されると、収縮してスロット２１が成形され、切断されて小さ目の溝が形成される。発泡体が収縮した後、小さな溝は、大き目の孔を有するスロット２１に形成される。
【００２３】
上述の２種類はともに切断されないため廃棄物が発生せず、大き目の孔を有するスロット２１である。スロット２１は、発泡体層２０上に直接成形され、底層に必要な厚さが成形するときに決定されるため、底層を貼着する必要がない。
【００２４】
上述した構造を有する装置は、本考案の第１の実施形態に係るフレキシブル通気性載置装置を実際に使用する際、応用する物に依り、例えばマットレス１０に応用する際、複数層の発泡体層２０又は布面層を有し、頂層の発泡体層２０が押圧されると、スロット２１がＶ字状を呈し、上方の孔が下方の孔より大きくなり、押圧されるとスロット２１の上方及び下方の孔が封止されずに（図１１参照）通気チャネルが形成される。人体の接触面には、通気性が好ましいスロット２１が形成され、放熱性を高めて汗を自然に排出させることができる上、独立ブロック２１３の周辺に縦向スロット２１２又は横向スロット２１１が形成され、スロット２１が押圧され、スロット２１の上下方の孔が封止されないため、単一独立ブロック２１３は、隣接した独立ブロック２１３を押圧せず、不連続となる確率が高く、独立筒の機能を得ることができる。
【００２５】
（第２実施形態）
図１２を参照する。図１２に示すように、本考案の第２実施形態に係るフレキシブル通気性載置装置は、イオン殺菌消臭装置４０及び袋４３を有する。袋４３は光を透過させて、ノズル４２を有する。ノズル４２には、エアチューブ４１が外付けされる。エアチューブ４１には、各スロット２１内へオゾンを導入するためのイオン殺菌消臭装置４０が接続されている。
【００２６】
本考案の第２実施形態に係るフレキシブル通気性載置装置を実際に使用する際、イオン殺菌消臭装置４０のエアチューブ４１をノズル４２へ接続させる。ノズル４２は、袋４３に接続される。袋４３には、発泡体層２０が外嵌される。イオン殺菌消臭装置４０を起動すると、オゾンが発生し、発泡体層２０のスロット２１内にオゾンが導入されて発泡体層２０の各スロット２１内に空気が流通し、オゾン滅菌消臭効果を得ることができる。また、ダニが容易に発生したり埃が積もることを防ぐことができる上、細菌が容易に発生することを防ぎ、通風が良好なため、湿気が少なくて乾燥しているため衛生的である。
【００２７】
以下、本考案と従来の発泡体層とを比較した結果を示す。
【００２８】
【表１】
0003189528.tif 000003
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１０  マットレス
１１  発泡体層
１２  底層
１３  スロット
１４  単一個体
２０  発泡体層
２１  スロット
３０  フレキシブル層
４０  イオン殺菌消臭装置
４１  エアチューブ
４２  ノズル
４３  袋
２１１  横向スロット
２１２  縦向スロット
２１３  独立ブロック
【図１】
0003189528.tif 000004
【図２】
0003189528.tif 000005
【図３】
0003189528.tif 000006
【図４】
0003189528.tif 000007
【図５】
0003189528.tif 000008
【図６】
0003189528.tif 000009
【図７】
0003189528.tif 000010
【図８】
0003189528.tif 000011
【図９】
0003189528.tif 000012
【図１０】
0003189528.tif 000013
【図１１】
0003189528.tif 000014
【図１２】
0003189528.tif 000015
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
発泡体層を含み、前記発泡体層の上下には他のフレキシブル層が積層され、
前記発泡体層は、所定の形状、幅及び厚さを有するとともに、所定の深さで形成された複数本のスロットを頂面に有し、
前記スロットは、下方孔から上方孔にかけて徐々に拡大するとともに、所定傾斜角を有する横向スロットと、所定角を有する縦向スロットとが交差されてなり、前記横向スロットと前記縦向スロットとの交差により複数の独立ブロックが形成され、前記独立ブロックの周辺には、縦向スロット又は横向スロットが形成され、
前記発泡体層の押圧時、前記スロットの上方及び下方の孔は非封止で通気チャネルを有し、単一独立ブロックは隣接した独立ブロックと非連動であることを特徴とするフレキシブル通気性載置装置。
【請求項２】
前記スロットは略Ｖ字状溝であることを特徴とする請求項１に記載のフレキシブル通気性載置装置。
【請求項３】
前記互いに隣接した横向スロットは、所定間隔でずれて不連続に形成されていることを特徴とする請求項１に記載のフレキシブル通気性載置装置。
【請求項４】
前記横向スロットは、略弧度傾斜角を呈する溝であることを特徴とする請求項１に記載のフレキシブル通気性載置装置。
【請求項５】
前記発泡体層は、袋により覆われ、
前記袋の所定箇所には、ノズルが設けられ、
前記ノズルには、エアチューブが外付けされ、
前記エアチューブには、前記発泡体層の前記スロット内にオゾンを導入するイオン殺菌消臭装置が接続されていることを特徴とする請求項１に記載のフレキシブル通気性載置装置。
【請求項６】
前記スロットは、発泡体と一体成形されていることを特徴とする請求項１に記載のフレキシブル通気性載置装置。